【手続補正書】
【提出日】平成15年7月28日(2003.7.28)
【手続補正１】
【補正対象書類名】明細書
【補正対象項目名】特許請求の範囲
【補正方法】変更
【補正の内容】
【特許請求の範囲】
【請求項１】
フレームと、
このフレームに設けた走行手段と、
前記フレームの長手方向一方側に設けられ、被破砕物を受け入れるホッパと、
前記フレームに設けられ、前記ホッパで受け入れた被破砕物を破砕する破砕装置と、
前記ホッパで受け入れた被破砕物を前記破砕装置に搬送するフィーダと、
前記フレームの長手方向他方側に設けられたパワーユニットと、
前記破砕装置で破砕した破砕物を前記他方側へ搬出するコンベアと、
前記破砕装置の下端側と前記コンベアとの間に形成した作業用空間と
を備えることを特徴とする自走式破砕機。
【請求項２】
請求項１記載の自走式破砕機において、
前記フレームは、
前記破砕装置、ホッパ、パワーユニット等を載置する破砕機取付けフレームと、
この破砕機取付けフレームと前記走行手段とを接続する脚部とから構成され、
前記脚部は、一端が前記走行手段の内側に取り付けられる履帯支持部と、
一端が前記履帯支持部の他端側に接続され、ここから略鉛直方向に立ち上がり他端が前記破砕機取付けフレームの下端部に取り付けられる立ち上がり部とからなることを特徴とする自走式破砕機。
【請求項３】
請求項１又は２記載の自走式破砕機において、
前記作業用空間の上下方向寸法を４５０ｍｍ以上としたことを特徴とする自走式破砕機。
【請求項４】
請求項１又は２記載の自走式破砕機において、
前記破砕装置下方における前記コンベアの下端面と地面との間の高さ方向距離を、２００ｍｍ以上としたことを特徴とする自走式破砕機。
【請求項５】
請求項１又は２記載の自走式破砕機において、
前記破砕機取付けフレーム又はパワーユニット積載部材の下方で、かつ、前記コンベアの上方に、作業員の侵入用空間を、前記コンベアの搬送方向に沿って形成したことを特徴とする自走式破砕機。
【請求項６】
請求項５記載の自走式破砕機において、
前記侵入用空間は、少なくとも、略水平方向長径が６００ｍｍでかつ略鉛直方向短径が３００ｍｍの楕円横断面形状を備えた略チューブ状空間を包含する空間であることを特徴とする自走式破砕機。
【請求項７】
請求項５記載の自走式破砕機において、
前記コンベアのうち、前記無限軌道履帯よりも前記破砕機取付けフレーム長手方向他の側に位置する部分に、作業員用の昇降手段を設けたことを特徴とする自走式破砕機。
【請求項８】
フレームと、
このフレームに設けた走行手段と、
前記フレームの長手方向一方側に設けられ、被破砕物を受け入れるホッパと、
前記フレームに設けられ、前記ホッパで受け入れた被破砕物を破砕する破砕装置と、
前記ホッパで受け入れた被破砕物を前記破砕装置に搬送するフィーダと、
前記フレームの長手方向他方側に設けられたパワーユニットと、
前記破砕装置で破砕した破砕物を前記他方側へ搬出するコンベアと、
前記破砕装置の下端側と前記コンベアとの間に形成した作業用空間と、
前記パワーユニットを積載するパワーユニット積載部材と、
このパワーユニット積載部材のうち前記破砕機取付けフレーム長手方向他の側部分の下側に設けられ、前記コンベアの搬送方向に沿った形状の開口部と
を備えることを特徴とする自走式破砕機。
【請求項９】
フレームと、
このフレームに設けた走行手段と、
前記フレームの長手方向一方側に設けられ、被破砕物を受け入れるホッパと、
前記フレームに設けられ、前記ホッパで受け入れた被破砕物を破砕する破砕装置と、
前記ホッパで受け入れた被破砕物を前記破砕装置に搬送するフィーダと、
前記フレームの長手方向他方側に設けられたパワーユニットと、
前記破砕装置で破砕した破砕物を前記他方側へ搬出するコンベアと、
前記破砕装置の下端側と前記コンベアとの間に形成した作業用空間と、
前記破砕機取付けフレーム又はパワーユニット積載部材の下方で、かつ、前記コンベアの上方に、前記コンベアの搬送方向に沿って形成した作業員の侵入用空間と、
前記パワーユニットを積載するパワーユニット積載部材と、
このパワーユニット積載部材のうち前記破砕機取付けフレーム長手方向他の側部分の下側に設けられ、前記コンベアの搬送方向に沿った形状の開口部と
を備えることを特徴とする自走式破砕機。
【請求項１０】
フレームと、
このフレームに設けた走行手段と、
前記フレームの長手方向一方側に設けられ、被破砕物を受け入れるホッパと、
前記フレームに設けられ、前記ホッパで受け入れた被破砕物を破砕する破砕装置と、
前記ホッパで受け入れた被破砕物を前記破砕装置に搬送するフィーダと、
前記フレームの長手方向他方側に設けられたパワーユニットと、
前記破砕装置で破砕した破砕物を前記他方側へ搬出するコンベアと、
前記破砕装置の下端側と前記コンベアとの間に形成した作業用空間と、
前記破砕機取付けフレーム又はパワーユニット積載部材の下方で、かつ、前記コンベアの上方に、前記コンベアの搬送方向に沿って形成した作業員の侵入用空間と、
前記パワーユニットを積載するパワーユニット積載部材と、
このパワーユニット積載部材のうち前記破砕機取付けフレーム長手方向他の側部分の下側に設けられ、前記コンベアの搬送方向に沿った形状の開口部とを備え、
前記フレームは、
前記破砕装置、ホッパ、パワーユニット等を載置する破砕機取付けフレームと、
この破砕機取付けフレームと前記走行手段とを接続する脚部とから構成され、
前記脚部は、一端が前記走行手段の内側に取り付けられる履帯支持部と、
一端が前記履帯支持部の他端側に接続され、ここから略鉛直方向に立ち上がり他端が前記破砕機取付けフレームの下端部に取り付けられる立ち上がり部とからなることを特徴とする自走式破砕機。
【手続補正２】
【補正対象書類名】明細書
【補正対象項目名】００１６
【補正方法】変更
【補正の内容】
【００１６】
【課題を解決するための手段】
(１)上記目的を達成するために、本発明は、フレームと、このフレームに設けた走行手段と、前記フレームの長手方向一方側に設けられ、被破砕物を受け入れるホッパと、前記フレームに設けられ、前記ホッパで受け入れた被破砕物を破砕する破砕装置と、前記ホッパで受け入れた被破砕物を前記破砕装置に搬送するフィーダと、前記フレームの長手方向他方側に設けられたパワーユニットと、前記破砕装置で破砕した破砕物を前記他方側へ搬出するコンベアと、 前記破砕装置の下端側と前記コンベアとの間に形成した作業用空間とを備える。


【手続補正３】
【補正対象書類名】明細書
【補正対象項目名】００１９
【補正方法】変更
【補正の内容】
【００１９】
（２）上記（１）において、好ましくは、前記フレームは、前記破砕装置、ホッパ、パワーユニット等を載置する破砕機取付けフレームと、この破砕機取付けフレームと前記走行手段とを接続する脚部とから構成され、前記脚部は、一端が前記走行手段の内側に取り付けられる履帯支持部と、一端が前記履帯支持部の他端側に接続され、ここから略鉛直方向に立ち上がり他端が前記破砕機取付けフレームの下端部に取り付けられる立ち上がり部とからなる。


【手続補正４】
【補正対象書類名】明細書
【補正対象項目名】００３１
【補正方法】変更
【補正の内容】
【００３１】
（８）上記目的を達成するために、本発明は、フレームと、このフレームに設けた走行手段と、前記フレームの長手方向一方側に設けられ、被破砕物を受け入れるホッパと、前記フレームに設けられ、前記ホッパで受け入れた被破砕物を破砕する破砕装置と、前記ホッパで受け入れた被破砕物を前記破砕装置に搬送するフィーダと、前記フレームの長手方向他方側に設けられたパワーユニットと、前記破砕装置で破砕した破砕物を前記他方側へ搬出するコンベアと、 前記破砕装置の下端側と前記コンベアとの間に形成した作業用空間と、前記パワーユニットを積載するパワーユニット積載部材と、このパワーユニット積載部材のうち前記破砕機取付けフレーム長手方向他の側部分の下側に設けられ、前記コンベアの搬送方向に沿った形状の開口部とを備える。
（９）また上記目的を達成するために、本発明は、フレームと、このフレームに設けた走行手段と、前記フレームの長手方向一方側に設けられ、被破砕物を受け入れるホッパと、前記フレームに設けられ、前記ホッパで受け入れた被破砕物を破砕する破砕装置と、前記ホッパで受け入れた被破砕物を前記破砕装置に搬送するフィーダと、前記フレームの長手方向他方側に設けられたパワーユニットと、前記破砕装置で破砕した破砕物を前記他方側へ搬出するコンベアと、前記破砕装置の下端側と前記コンベアとの間に形成した作業用空間と、前記破砕機取付けフレーム又はパワーユニット積載部材の下方で、かつ、前記コンベアの上方に、前記コンベアの搬送方向に沿って形成した作業員の侵入用空間と、前記パワーユニットを積載するパワーユニット積載部材と、このパワーユニット積載部材のうち前記破砕機取付けフレーム長手方向他の側部分の下側に設けられ、前記コンベアの搬送方向に沿った形状の開口部とを備える。
(１０)また上記目的を達成するために、本発明は、フレームと、このフレームに設けた走行手段と、前記フレームの長手方向一方側に設けられ、被破砕物を受け入れるホッパと、前記フレームに設けられ、前記ホッパで受け入れた被破砕物を破砕する破砕装置と、前記ホッパで受け入れた被破砕物を前記破砕装置に搬送するフィーダと、前記フレームの長手方向他方側に設けられたパワーユニットと、前記破砕装置で破砕した破砕物を前記他方側へ搬出するコンベアと、前記破砕装置の下端側と前記コンベアとの間に形成した作業用空間と、前記破砕機取付けフレーム又はパワーユニット積載部材の下方で、かつ、前記コンベアの上方に、前記コンベアの搬送方向に沿って形成した作業員の侵入用空間と、前記パワーユニットを積載するパワーユニット積載部材と、このパワーユニット積載部材のうち前記破砕機取付けフレーム長手方向他の側部分の下側に設けられ、前記コンベアの搬送方向に沿った形状の開口部とを備え、前記フレームは、前記破砕装置、ホッパ、パワーユニット等を載置する破砕機取付けフレームと、この破砕機取付けフレームと前記走行手段とを接続する脚部とから構成され、前記脚部は、一端が前記走行手段の内側に取り付けられる履帯支持部と、一端が前記履帯支持部の他端側に接続され、ここから略鉛直方向に立ち上がり他端が前記破砕機取付けフレームの下端部に取り付けられる立ち上がり部とからなる。